(57)【要約】【課題】キャビネットに貼り付けられた充電池を簡単かつ安全に外すことができるようにする。【解決手段】正面側に表示部２が収容される正面側キャビネット３の金属フレーム６の背面にタグ付シート９を挟み込んで、両面テープ８を介して充電池７を金属フレーム６に接着する。タグ付シート９のタグを引っ張ると、充電池７が金属フレーム６から剥がれるようにする。【選択図】図１
2014045334.tif 000002
【特許請求の範囲】
【請求項１】
表示部と、
正面側に上記表示部が収容されるキャビネットと、
上記キャビネットの背面に両面テープを介して接着される充電池と、
上記充電池正面と上記キャビネットの背面との間に挟み込まれたタグ付シートとを備え、
上記タグ付シートのタグが引っ張られることにより、上記充電池が上記キャビネットの背面から剥がれるように構成されている
ことを特徴とする携帯端末。
【請求項２】
請求項１に記載の携帯端末において、
上記タグ付シートは、上記両面テープを避ける両面テープ用開口を備えている
ことを特徴とする携帯端末。
【請求項３】
請求項２に記載の携帯端末において、
上記両面テープ用開口は、矩形状であり、該両面テープ用開口の四隅は、面取りされ、
上記面取り部分が上記両面テープの角部と接触し、
上記タグが引っ張られたときに上記両面テープが上記角部から剥がれるように構成されている
ことを特徴とする携帯端末。
【発明の詳細な説明】
【技術分野】
【０００１】
本発明は、充電池がキャビネットに貼り付けられる携帯端末に関するものである。
【背景技術】
【０００２】
従来より、正面側キャビネットの正面側に表示ユニットを収容し、その背面側にメイン基板を配置し、その背面に充電池を配置した携帯端末は知られている（例えば、特許文献１参照）。この携帯端末では、背面カバーに丸みを持たせているため、充電池を大きくすることができない。
【０００３】
しかし、近年、できるだけ大きな充電池を設けたいというニーズがある。このため、充電池を厚さ方向中間に配置するために充電池を正面側キャビネットの金属フレームの背面側に両面テープ等で貼り付けることが知られている。
【先行技術文献】
【特許文献】
【０００４】
【特許文献１】特開２０１２−１０００３４号公報
【発明の概要】
【発明が解決しようとする課題】
【０００５】
しかしながら、このような携帯端末では、充電池をしっかりと金属フレームに固定しているので、リサイクルを行うために充電池を金属フレームから剥がすのが困難となっている。しかも充電池が金属や樹脂枠等で覆われていない場合、充電池をうまく剥がせないと、発火等の危険性がある。
【０００６】
本発明は、かかる点に鑑みてなされたものであり、その目的とするところは、キャビネットに貼り付けられた充電池を簡単かつ安全に外すことができるようにすることにある。
【課題を解決するための手段】
【０００７】
上記の目的を達成するために、この発明では、キャビネットと充電池との間にタグ付シートを挟み込むようにした。
【０００８】
具体的には、第１の発明では、
表示部と、
正面側に上記表示部が収容されるキャビネットと、
上記キャビネットの背面に両面テープを介して接着される充電池と、
上記充電池正面と上記キャビネット背面との間に挟み込まれたタグ付シートとを備え、
上記タグ付シートのタグが引っ張られることにより、上記充電池が上記キャビネットの背面から剥がれるように構成されている。
【０００９】
上記の構成によると、タグ付シートを引っ張ることにより、充電池に無理な力を加えることなく確実に充電池がキャビネットの背面から引き剥がされるので、充電池のリサイクル等を容易かつ安全に行える。
【００１０】
第２の発明では、第１の発明において、
上記タグ付シートは、上記両面テープを避ける両面テープ用開口を備えている。
【００１１】
上記の構成によると、両面テープのある部分以外をタグ付シートで覆うことで、タグ付シートの領域をできるだけ増やして充電池をさらに剥がしやすくすることができる。
【００１２】
第３の発明では、第２の発明において、
上記両面テープ用開口は、矩形状であり、該両面テープ用開口の四隅は、面取りされ、
上記面取り部分が上記両面テープの角部と接触し、
上記タグが引っ張られたときに上記両面テープが上記角部から剥がれるように構成されている。
【００１３】
上記の構成によると、タグ付シートを剥がすときに、両面テープ用開口の四隅が両面テープの角部と接触しているので、両面テープが角部から容易に剥がれる。このため、充電池の引き剥がし作業が極めて容易となる。
【発明の効果】
【００１４】
以上説明したように、本発明によれば、充電池正面とキャビネット背面との間にタグ付シートを挟み込んだことにより、キャビネットに貼り付けられた充電池を簡単かつ安全に外すことができる。
【図面の簡単な説明】
【００１５】
【図１】図２のＩ−Ｉ線拡大断面図である。
【図２】携帯電話機を示す正面図である。
【図３】リアカバー及び背面側キャビネットを外した携帯電話機を背面側から見た斜視図である。
【図４】充電池を外した状態の図３相当図である。
【発明を実施するための形態】
【００１６】
以下、本発明の実施形態を図面に基づいて説明する。
【００１７】
図１及び図２は、本発明の実施形態の携帯端末としての携帯電話機１を示し、この携帯電話機１は、液晶ディスプレイ、有機ＥＬディスプレイなどを含む表示部２（図２では省略）を表面側に収容する正面側キャビネット３を有する。正面側キャビネット３の背面側には、背面側キャビネット４が設けられ、その背面がリアカバー５で覆われている。
【００１８】
この正面側キャビネット３は、例えば、中央部分にステンレス鋼板等の板金よりなる金属フレーム６がインサート成形されている。金属フレーム６は、マグネシウム合金、アルミニウム合金等よりなる金属成形品でもよい。
【００１９】
図３にも示すように、金属フレーム６の背面には、充電池７が貼り付けられている。具体的には、図４にも示すように、金属フレーム６には、幅方向に所定の間隔をあけて上下方向に延びる一対の両面テープ８が貼り付けられている。そしてこれらの両面テープ８を避けるように、充電池７正面と金属フレーム６背面との間には、タグ付シート９が挟み込まれている。このことで、充電池７の正面が両面テープ８により金属フレーム６に接着されている。
【００２０】
具体的には、タグ付シート９には、両面テープ８を避けるように一対の両面テープ用開口１０が形成されている。この両面テープ用開口１０は、矩形状であり、その四隅は、直角に尖るのではなく、三角形状にタグ付シートが残るように面取り１１が形成されている。そしてこの面取り１１の部分が両面テープ８の角部と繋がっている。そして、この繋がった部分を引っ張ると両面テープ８が裂けて両面テープ８を剥がしやすくなっている。
【００２１】
タグ付シート９のタグ１２は、図３に示すように、例えば、背面から見て左側に露出している。なお、タグ１２を右側、上側又は下側から露出させてもよい。
【００２２】
このように構成した携帯電話機１をリサイクルするときには、まず、リアカバー５、背面側キャビネット４等を外す。
【００２３】
次いで、図３に示すように露出したタグ１２を引っ張る。
【００２４】
すると、タグ付シート９が充電池７を背面から見て左側から徐々に持ち上げるようにして充電池７が金属フレーム６からスムーズに剥がれる。このとき、上下いずれかの面取り１１から両面テープ８の角部が引っ張られて裂けるので、両面テープ８が剥がれやすい。
【００２５】
次いで、左側の両面テープ８が剥がれ、右側の両面テープ８も同様に剥がれる。
【００２６】
これにより、充電池７を無理やり剥がそうとして傷めることなく、容易に引き剥がすことができる。
【００２７】
このようにタグ付シート９に両面テープ用開口１０を設けて両面テープ８のある部分以外をタグ付シート９で覆うようにしたことにより、タグ付シート９の領域をできるだけ増やして充電池７を剥がしやすくすることができる。
【００２８】
したがって、本実施形態にかかる携帯端末によると、タグ付シート９を引っ張ることにより、確実に充電池７が金属フレーム６から引き剥がされるので、充電池７のリサイクル等を容易かつ安全に行うことができる。
【００２９】
（その他の実施形態）
本発明は、上記実施形態について、以下のような構成としてもよい。
【００３０】
すなわち、上記実施形態では、両面テープ８を幅方向に間隔をあけて一対設けたが、３本設けてもよく、上下方向に間隔をあけて左右に延びる両面テープ８を設けてもよい。いずれの場合も、それに合わせてタグ付シートに両面テープ用開口１０を設ければよい。
【００３１】
上記実施形態では、正面側キャビネット３にインサート成形した金属フレーム６の背面に両面テープ８を貼り付けているが、これに限定されず、金属フレーム６が金属成形品の正面側キャビネットの一部であってもよい。また、金属フレーム６の部分が、金属ではなく、一体成形した樹脂製プレートであってもよい。
【００３２】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。
【産業上の利用可能性】
【００３４】
以上説明したように、本発明は、充電池が金属フレームに貼り付けられる携帯電話機などの携帯端末について有用である。
【符号の説明】
【００３５】
１      携帯電話機（携帯端末）
２      表示部
３      正面側キャビネット（キャビネット）
４      背面側キャビネット
５      リアカバー
６      金属フレーム
７      充電池
８      両面テープ
９      タグ付シート
１０      両面テープ用開口
１１      面取り
１２      タグ
【図１】
2014045334.tif 000003
【図２】
2014045334.tif 000004
【図３】
2014045334.tif 000005
【図４】
2014045334.tif 000006